(57)【要約】      （修正有）【課題】本発明により、予め使用している医療用回路に所望する混注ポートが不足した場合でも該回路の閉鎖系（クローズドシステム）を維持したまま、前記の使用している回路に所望の数の混注ポートを簡単に増設することができる閉鎖式管状継手を提供することができた。【解決手段】混注ポート１が、中央部に接続対象の雄型コネクターが挿入、拘持されて接続されるスリットおよび／またはホール６の形成されたディスク状の弾性弁と、前記弾性弁を担持する台座５と、前記弾性弁を拘持するカバー４と、流路３とを有して構成されたものであることを特徴とする閉鎖式管状継手。【選択図】図１
2007054093.tif 000002
【特許請求の範囲】
【請求項１】
オスルアーと少なくとも２個の混注ポートを有することを特徴とする閉鎖式管状継手。
【請求項２】
混注ポートが、中央部に接続対象の雄型コネクターが挿入、拘持されて接続されるスリットおよび／またはホールの形成されたディスク状の弾性弁と、前記弾性弁を担持する台座と、前記弾性弁を拘持するカバーと、流路とを有して構成されたものであることを特徴とする請求項１に記載の閉鎖式管状継手。
【請求項３】
少なくとも２個の混注ポートが、少なくとも流路に対して垂直方向に接続対象の雄型コネクターを接続可能なものと流路に対して水平方向に接続対象の雄型コネクターを接続可能なものの両方を含むことを特徴とする請求項１または２に記載の閉鎖式管状継手。
【請求項４】
一端にオスルアー、他端に流路に対して水平方向に接続対象の雄型コネクターを接続可能な混注ポート、および前記オスルアーと前記混注ポートの間に流路に対して水平方向以外の選択された角度で接続対象の雄型コネクターを接続可能な少なくとも１個の混注ポートよりなることを特徴とする請求項１〜３のいずれかに記載の閉鎖式管状継手。
【請求項５】
水平方向以外の選択された角度が、流路に対して垂直方向の角度であることを特徴とする請求項４に記載の閉鎖式管状継手。
【請求項６】
前記オスルアーと少なくとも２個の混注ポートの他に、オスルアーにもっとも近い混注ポートとオスルアーの間に特定圧力以上の圧力がオスルアー側から混注ポート方向に生じないと弁が開口しない構成となっている一方弁（逆止弁）を設けてなることを特徴とする請求項１〜５のいずれかに記載の閉鎖式管状継手。
【請求項７】
各混注ポートが、その視認性および識別性を向上させる手段を有するものであることを特徴とする請求項１〜６のいずれかに記載の閉鎖式管状継手。
【請求項８】
前記視認性および識別性を向上させる手段が、各混注ポートに夫々異なる色彩を付与することおよび／または前記色彩の組み合わせであることを特徴とする請求項７に記載の閉鎖式管状継手。
【発明の詳細な説明】
【技術分野】
【０００１】
本発明は複数の混注ポートを備えた閉鎖式管状継手に関する。
【背景技術】
【０００２】
療法中、緊急に複数の薬剤を同時に投与したり、緊急に採血したりすることは頻繁にある。従来の輸液・輸血回路にはそのような混注操作の場合に備えて、「混注ポート」を少なくとも1つ備えているのが一般的である。そのような緊急の混注操作には、複数の薬剤を同時に投与したりする場合がある。このような緊急の混注操作に備えて、複数の混注ポートを輸液回路、輸血回路等にあらかじめ配置しておくことが考えられる。しかしながら、輸液、輸血回路等に複数の混注ポートを備えた場合、当然のことながら部品点数が多くなり、また、採用する輸液、輸血の療法、あるいは緊急の混注操作によって所望される混注ポートの数が異なるため、輸液、輸血回路等の規格統一を図ることが困難で、これらはコスト低減の障害となっていた。
【０００３】
また、輸液、輸血回路システムは、衛生上、外気と接触することがないような「閉鎖系（クローズドシステム）」であることが望まれている。上述のような緊急の混注操作をする場合、その閉鎖を維持した状態で混注操作をする必要がある。しかしながら、混注操作によっては、予め使用していた回路に所望する混注ポートが不足している場合があり、その際には回路を一端開放して、新たな別の回路を接続したりして混注操作を行わなければならない状況があった。また、そのような場合を想定して、多数の混注ポートを備えた回路でもって使用しても、複数の混注部を使用しない場合もあり、反って回路全体の操作が煩雑になることもあった。
【特許文献１】特許第３３８９９８３号
【発明の開示】
【発明が解決しようとする課題】
【０００４】
本発明は予め使用している回路に所望する混注ポートが不足した場合でも該回路の閉鎖系（クローズドシステム）を維持したまま、前記の使用している回路に所望の数の混注ポートを簡単に増設することができる閉鎖式管状継手を提供することにある。
【課題を解決するための手段】
【０００５】
本発明は、オスルアーと少なくとも２個の混注ポートを有する閉鎖式管状継手の提供により前記課題を解決できた。したがって本発明で採用する混注ポートとは閉鎖系を維持できる混注ポートを指す。
【０００６】
本発明の閉鎖式管状継手を構成する混注ポートとしては、そのスリット部および／またはホール部に、接続対象例えばルアータイプあるいはルアーロックタイプのようなニードルレスポート、血液透析回路、輸液回路、採血回路等の医療用回路あるいは本発明の閉鎖式管状継手自体が、その接続部である雄型コネクター部によって密封系を維持して拘持され接続可能な混注ポートであれば特に制限なく使用することができる。このような混注ポートとしては、具体的には本出願人が先に出願した図４に示すような中央部に挿入体を挿入、拘持できるスリットおよび／またはホール６の形成されたディスク状の弾性弁９、前記弁９の裏側面の中央部を残して周縁下部を担持する台座５、前記弁９の表側面の中央部を残し少なくとも前記弁９の周縁上部を覆う前記弁を拘持するカバー４と、流路３とを有して構成されたもの（特許第３３８９９８３号）が挙げられる。
【０００７】
以下、本発明の閉鎖式管状継手の実施態様を図に基づいてさらに詳細に説明する。
実施態様１
図１および２に基づいて説明する。
図１の閉鎖式管状継手は、流路３の両端にルアーロック型オスルアー８と流路３に対して水平方向に接続した混注ポート１、および前記ルアーロック型オスルアー８と混注ポート１の間に混注ポート連結具１０で連結した流路３に対して垂直方向に接続した混注ポート２の２個で構成されたものである。混注ポート１と２の間、混注ポート２同士の間、および混注ポート２とルアー８の間は、各混注ポートおよびルアーを構成する流路で直接に連結して流路３を形成してもよいし、あるいは各混注ポートとルアーを構成する流路をチューブのような連結部材で連結して流路３を形成してもよい。さらに前記流路３はそれが連結する混注ポート１、混注ポート２あるいはルアーロック型オスルアー８を互いに分離不可能に連結していても良いし、また分離可能に連結していてもよい。例えば図２の閉鎖式管状継手は、図１の閉鎖式管状継手において前記流路３の一端に接続された混注ポート１が流路３部分において分離可能に構成されているので、前記混注ポート１を取り外して、別の構成の混注ポート、例えば複数個の混注ポートを有する態様のものを接続することも可能である。
【０００８】
前記図１および２に示す閉鎖式管状継手は、混注ポートとして接続対象の雄型コネクターを流路３に対して水平方向に接続可能な混注ポート１と、ルアーロック型オスルアー８と前記混注ポート１の間に設置された接続対象の雄型コネクターを流路３に対して垂直方向に接続可能な２個の混注ポート２の２個で構成され、かつ該混注ポート２は流路３に対して同一方向に設置されたものであるが、前記ルアーロック型オスルアー８と混注ポート１の間に設置される混注ポートの数は２個に限られず、２個以上であってもよい。また、前記混注ポート２の流路３に対する設置角度は流路３に対して垂直方向のものに限られず、流路３に対して水平方向以外の角度で選択することもできるし、かつ前記垂直方向のもの（前者のもの）と水平および垂直方向以外のもの（後者のもの）を組合せたものであってもよい。
また、前記後者のものとしては、例えば複数個の混注ポート２を分岐状、例えば二股ソケットのような形状のものとしたものが挙げられる。
【０００９】
実施態様２
図３の閉鎖式管状継手は、流路３の両端にルアーロック型オスルアー８と流路３に対して水平方向に接
続部材の雄型コネクターを接続可能な混注ポート１、および前記ルアーロック型オスルアー８と混注ポート１の間に１個の流路３に対して垂直方向に接続部材の雄型コネクターを接続可能な混注ポート２を有して構成されたものであり、本実施態様のものは、本発明の閉鎖式管状継手の基本最小構成単位である。
また、本実施態様のものも図２に示した閉鎖式管状継手と同様に、前記混注ポート１と混注ポート２の間の流路３部分において分離可能な構成とすることができ、図２のものと同様な効果が奏される。
【００１０】
実施態様３
輸液セットによる療法では、輸液ポンプ、シリンジポンプなどのポンプを用いて薬剤の移送を行うことがある。このとき不慮の要因により、療法上重篤な医療事故につながる危険性がある。例えば、輸液ポンプの場合、一般的にクレンメ等によりラインの閉塞を行わずに輸液ポンプから回路を取り外した際に、患者との落差によって薬液が急速に注入されてしまう所謂「フリーフロー現象」が発生することがある。また、シリンジポンプの場合、シリンジの押し子がシリンジポンプにセットされていないと、患者とシリンジポンプの落差によって薬液が急速に注入されてしまう所謂「サイフォニング現象」が発生することがある。特に「シリンジポンプ」のような、本来微量注入を目的とした輸液療法の場合は、前記のような現象が生じると重篤な事故につながりかねない。
【００１１】
したがって、前記のような不慮の要因に基づく「フリーフロー現象」や「サイフォニング現象」を防止するために、本実施態様の閉鎖式管状継手は、前記オスルアーと少なくとも２個の混注ポートの他に、オスルアーにもっとも近い混注ポートとオスルアーの間に特定圧力以上の圧力がオスルアー側から混注ポート方向に生じないと弁が開口しない構成となっている一方弁（逆止弁）を設けてなる構成のものが有効である。このような構成の閉鎖式管状継手として、例えば図６に示すような構成のものが挙げられる。
【００１２】
図６に示す閉鎖式管状継手は、そのオスルアー７が医療治療システムのライン、例えば輸液ラインのメスコネクターと接続され、混注ポート２より混注された薬剤は前記一方弁（逆止弁）１２を通過して輸液ラインへと移送される。前記一方弁（逆止弁）１２は、輸液ポンプやシリンジポンプのようなポンプ装置による薬剤の移送圧力では弁が開口するが、上述のような不慮の事故によって落差圧が生じたとしても、その圧力によって弁が開口することがない。これにより、装置と患者との落差圧による薬剤の過剰投与、所謂「フリーフロー現象」や「サイフォニング現象」を防止する効果を奏することが可能となる。
更に一方弁（逆止弁）１２は、特定圧力以上の圧力がオスルアー側から混注ポート方向に生じないと弁が開口しないため、装置内を流通する流体は、常に「混注ポート側からオスルアー方向」へと流れる特徴を有する。そのために、上記以外の不慮の事故が発生し、輸液ライン側の圧力と比して陰圧となった場合でも、輸液ライン側から閉鎖式管状継手側に向けて逆流したりすることがない。これらのことにより、本発明の閉鎖式管状継手を通常の輸液装置内に組み込んで使用することで、より安全性の高い輸液療法を行うことが可能となる。
【００１３】
また、本発明の閉鎖式管状継手は、使用する混注ポートの数および該ポートが取り付けられる流路に対する取り付け角度等を代えて組み合わされて構成される種々の種類のものが存在し、かつ混注ポート同士は同一形状あるいは少なくとも類似形状のものであるから、前記使用する夫々の混注ポートのカバーに該混注ポートの視認性および識別性が向上する手段が採用されていることが好ましい。例えば使用する夫々の混注ポートに異なる色調（例えば、青、緑、黄、赤等）を付与させることにより、各混注ポートの視認性を向上させ誤接続防止効果を付与すると同時に、目的別に接続箇所をその色調により特定可能となり、かつその色調の組み合わせに基づいて閉鎖式管状継手の種類、あるいは用途の特定に利用することが可能になる。
【発明の効果】
【００１４】
本発明の閉鎖式管状継手は、上述のように混注ポート１の数および方向の異なる種類のものを色々と準備することができるから、予め使用している医療用回路等に所望する混注ポートが不足した場合でも、あるいは医療用回路として予め数多くの混注ポートを有するものを使用しなくても、現場の医療従事者が必要に応じて該回路の閉鎖系（クローズドシステム）を維持したまま、前記の使用している回路に所望の数の混注ポートを簡単に増設することができる。すなわち使用している医療用回路に混注ポートの増設の必要性が生じた場合にその必要性の内容に応じて好ましい態様のものを容易に選択して準備することができる。さらに医療機器メーカーも医療用回路、例えば採血回路として数多くの混注ポートとする必要が無いので医療用回路の製造コストの低下ができ、また、製造および回路の規格統一が容易となる。
【図面の簡単な説明】
【００１５】
【図１】本発明の閉鎖式管状継手の１実施態様を示す図である。
【図２】図１の閉鎖式管状継手において、流路３の一端に接続された混注ポート１と流路３とが分離、接続可能に構成されたものである。
【図３】本発明の閉鎖式管状継手の１実施態様を示す図である。
【図４】本発明の閉鎖式管状継手を構成する混注ポートの１実施態様の断面図である。
【図５】図４の混注ポートにルアー部を挿入、把持させた状態を示す断面図である。
【図６】混注ポート、オスルアー部および逆止弁を有する閉鎖式管状継手の断面図である。
【符号の説明】
【００１６】
１      混注ポート
２      混注ポート
３      流路
４      カバー
５      台座
６      スリット部および／またはホール部
７      ルアー部
８      オスルアー
９      弾性栓
１０    混注ポート連結具
１２    一方弁（逆止弁）
【図１】
2007054093.tif 000003
【図２】
2007054093.tif 000004
【図３】
2007054093.tif 000005
【図４】
2007054093.tif 000006
【図５】
2007054093.tif 000007
【図６】
2007054093.tif 000008